(57)【要約】  【課題】一組のリードスイッチと磁石にて隣接する２枚の扉の開閉を検知し製造原価の低減を図る。  【解決手段】冷蔵庫本体１４は、冷蔵室扉１５と製氷室扉１６と前記扉の開閉を検知するためのリードスイッチ２０とリードスイッチ用磁石２７とを有し、リードスイッチ２０は冷蔵室扉１５に、リードスイッチ用磁石２７は製氷室扉１６に設置され、前記一組のリードスイッチと磁石にて２枚の扉の開閉を検知することができるため、冷蔵庫の部品点数や組み付け工数も含めた製造原価の低減を図ることができる。【選択図】図２
2008101803.tif 000002
【特許請求の範囲】
【請求項１】
複数の貯蔵室を有する冷蔵庫本体と前記冷蔵庫本体の開口面を覆う開閉自在な扉と前記扉の開閉を検知するためのリードスイッチと磁石を有し、隣接する一方のドアにドア開閉検知用のリードスイッチを、他方に磁石を取り付けたことを特徴とする冷蔵庫。
【請求項２】
前記冷蔵庫は、回転式扉と引き出し式扉を有し、回転式扉にはリードスイッチを前記回転式扉と隣接する引き出し式扉には磁石を設置したことを特徴とする請求項１に記載の冷蔵庫。
【請求項３】
前記冷蔵庫は、左右に一対の回転式扉を有し、一方にリードスイッチを他方に磁石を設置したことを特徴とする請求項１に記載の冷蔵庫。
【発明の詳細な説明】
【技術分野】
【０００１】
本発明は、扉の開閉を検知する為の装置を備えた冷蔵庫に関するものである。
【背景技術】
【０００２】
近年、冷蔵庫をはじめとする家電製品は多様化の時代を迎え、その基本性能だけでなく製品のデザイン性を向上させる事がこれまで以上に求められる様になった。
【０００３】
従来、この種の冷蔵庫の扉開閉リードスイッチにはリードスイッチが用いられ、リードスイッチは冷蔵庫本体へ、検知用の磁石は冷蔵庫扉の上面もしくは下面へ凸部を設け設置されている（例えば、特許文献１参照）。
【０００４】
図６、図７は、特許文献１に記載された従来の冷蔵庫の概略斜視図及びリードスイッチ部の概略断面図を示すものである。図６、図７に示すように、冷蔵庫本体１は、冷蔵室扉２と、上部冷凍室扉３と，下部冷凍室扉４と，野菜室扉５とを有し、扉開閉検知用のリードスイッチ６は冷蔵庫本体の前縁部に設けられ、リードスイッチ用の磁石７ａは、外板８及び内板９とこれらの側縁を連絡するキャップ１０との間に形成された空間内に発泡性を有する断熱材１１を充填してなる上部冷凍室扉３のキャップ１０に形成された凸部１２の内側に設置されている。同様に、冷蔵室扉２下部に設けられた凸部１３の内側にも磁石７ｂが設置されている。
【特許文献１】特許第３５４６３４５号公報
【発明の開示】
【発明が解決しようとする課題】
【０００５】
しかしながら、上記従来の構成では、上部冷凍室扉用の磁石７ａと冷蔵室用の磁石７ｂというように、それぞれの扉毎に磁石が必要であり、製造コストをより安価にするための課題となっていた。
【０００６】
本発明は、上記従来の課題を解決するもので、一組のリードスイッチと磁石にて、隣接する２枚の扉の開閉を検知することのできる冷蔵庫を提供することを目的とする。
【課題を解決するための手段】
【０００７】
上記従来の課題を解決するために、本発明の冷蔵庫は、複数の貯蔵室を有する冷蔵庫本体と前記冷蔵庫本体の開口面を覆う開閉自在な扉と前記扉の開閉を検知するためのリードスイッチと磁石を有し、隣接する一方のドアにドア開閉検知用のリードスイッチを、他方に磁石を取り付けたものである。
【０００８】
これによって、一組のリードスイッチと磁石にて２枚の扉の開閉を検知することができる。
【発明の効果】
【０００９】
本発明の冷蔵庫は、一組のリードスイッチと磁石にて隣接する２枚の扉の開閉を検知することができるため、部品点数を削減することができ、組み付け工数も含めた製造原価の低減を図ることができる。
【発明を実施するための最良の形態】
【００１０】
請求項１に記載の発明は、複数の貯蔵室を有する冷蔵庫本体と前記冷蔵庫本体の開口面を覆う開閉自在な扉と前記扉の開閉を検知するためのリードスイッチと磁石を有し、隣接する一方のドアにドア開閉検知用のリードスイッチを、他方に磁石を取り付けることにより、一組のリードスイッチと磁石にて２枚の扉の開閉を検知することができ、部品点数や組み付け工数も含めた製造原価の低減を図ることができる。
【００１１】
請求項２に記載の発明は、請求項１に記載の発明において、前記冷蔵庫は、回転式扉と引き出し式扉を有し、回転式扉にはリードスイッチを前記回転式扉と隣接する引き出し式扉には磁石を設置したことにより、リードスイッチのハーネスコードを回転扉のヒンジ部を介して冷蔵庫本体とドアとに配設することが可能となるため、リードスイッチの信号を有線で発信することができ、製造原価の低減を図ることができる。
【００１２】
請求項３に記載の発明は、請求項１に記載の発明において、前記冷蔵庫は、左右に一対の回転式扉を有し、一方にリードスイッチを他方に磁石を設置したことにより、リードスイッチのハーネスコードを回転扉のヒンジ部を介して冷蔵庫本体とドアとに配設することが可能となるため、リードスイッチの信号を有線で発信することができ、製造原価の低減を図ることができる。
【００１３】
以下、本発明による冷蔵庫の実施の形態について、図面を参照しながら説明する。なお、この実施の形態によってこの発明が限定されるものではない。
【００１４】
（実施の形態１）
図１は本発明の実施の形態１における冷蔵庫の冷蔵室扉の開放状態を示す斜視図、図２は冷蔵室扉と製氷室扉の閉時の要部断面図、図３は同冷蔵庫の冷蔵室扉のヒンジ部の分解斜視図である。
【００１５】
図１、図２、図３において、冷蔵庫本体１４は、回転式の冷蔵室扉１５と引き出し式の製氷室扉１６と切替え室扉１７と野菜室扉１８と冷凍室扉１９とを有し、扉開閉検知用のリードスイッチ２０は、外板２１及び内板２２とこれらの側縁を連絡する下キャップ２３と上キャップ２３ａの間に形成された空間内に発泡断熱材２４を充填してなる冷蔵室扉１５の下キャップ２３に設けられた凹部２５にケース２６を介して設けられ、リードスイッチ用磁石２７は同様に外板２８及び内板２９とこれらの側縁を連絡する上キャップ３０と下キャップ（図示せず）の間に形成された空間内に発泡断熱材２４を充填してなる製氷室扉１６の上キャップ３０の発泡断熱材２４と接する面に、例えば両面テープで設置されている。リードスイッチのハーネスコード２１ａは、冷蔵室の上キャップ２３ａに設置されている円筒状の軸受け３１と、軸受け３１に契合する軸部が円筒状であるヒンジ３２を介して、冷蔵庫本体より導いたハーネスコード２１ｂとコネクタ３３ａ、３３ｂにて冷蔵庫本体の制御基盤（図示せず）と接続され、電源や信号のやり取りを行う。また、冷蔵室扉は軸受け３１を起点として回動するようヒンジ３２を介して固定用ビス３４にて冷蔵庫本体１４へ取付けられる。
【００１６】
このように、回転式の冷蔵室扉１５にリードスイッチ２０、引出し式の製氷室扉１６に磁石２７を設けることで、一組の扉開閉検知用のリードスイッチにて、冷蔵室扉、製氷室扉のいずれか一方の扉が開放した場合の扉の開閉を検知することができる。従来のように、一組の扉開閉検知用のリードスイッチにて１枚の扉の開閉検知をする場合に比べ、必要部品点数や取付け工数も削減することができるため、冷蔵庫の製造原価の低減を図ることができる。
【００１７】
（実施の形態２）
図４は本発明の実施の形態２における冷蔵庫の冷蔵室扉の開放状態を示す斜視図、図５は冷蔵室扉閉時の要部平面断面図である。
【００１８】
図４、図５において、実施の形態１と同一の構成は同一符号を付して重複した構成の説明を省略する。冷蔵庫本体１４は、一対の回転式扉である冷蔵室右扉１５ａ、冷蔵室左扉１５ｂを有する。扉開閉検知用のリードスイッチ２０は、外板３６及び内板３７とこれらの側縁を連絡する下キャップと上キャップ（図示せず）と側面キャップ３７の間に形成された空間内に発泡断熱材２４を充填してなる冷蔵室左扉１５ｂの側面キャップ３７に設けられた凹部３８にケース３９を介して設けられ、リードスイッチ用磁石２７は同様に外板４０及び内板４１とこれらの側縁を連絡する上キャップと下キャップ（図示せず）と側面キャップ４２の間に形成された空間内に発泡断熱材２４を充填してなる冷蔵室右扉１５ａの側面キャップ４２の発泡断熱材２４と接する面に、例えば両面テープで設置されている。リードスイッチのハーネスコード２１ａは、実施の形態１と同様にヒンジを介して冷蔵庫本体１４と接続される。
【００１９】
このように、回転式の冷蔵室左扉１５ｂにリードスイッチ２０、冷蔵室右扉１５ａに磁石２７を設けることで、一組の扉開閉検知用のリードスイッチにて、冷蔵室のいずれか一方の扉が開放した場合の扉の開閉を検知することができる。従来のように、一組の扉開閉検知用のリードスイッチにて１枚の扉の開閉検知をする場合に比べ、必要部品点数や取付け工数も削減することができるため、冷蔵庫の製造原価の低減を図ることができる。
【００２０】
なお、冷蔵室右扉１５ａにリードスイッチ２０、冷蔵室左扉１５ｂに磁石２７を設けても構わないが、通常は、冷蔵室右扉１５ａと冷蔵室左扉１５ｂとを仕切る回転仕切り体４３は冷蔵室左扉１５ｂに設置されることが多く、回転仕切り体４３の結露防止用ヒーター用のハーネスコード（図示せず）がヒンジを介して冷蔵庫本体１４と接続されるため、冷蔵室左扉１５ｂにハーネスコードをまとめる方が製造効率も良く、製造原価の低減の効果が大きい。
【産業上の利用可能性】
【００２１】
以上のように、本発明にかかる冷蔵庫は、一組のリードスイッチと磁石にて隣接する２枚の扉の開閉を検知することができるため、部品点数を削減することができ、組み付け工数も含めた製造原価の低減を図ることができるため、同様のレイアウトを有する他の冷却機器にも適用できる。
【図面の簡単な説明】
【００２２】
【図１】本発明の実施の形態１における冷蔵庫の冷蔵室扉の開放状態を示す斜視図
【図２】同実施の形態の冷蔵室扉と製氷室扉の閉時の要部断面図
【図３】図１の冷蔵室扉のヒンジ部の分解斜視図
【図４】本発明の実施の形態２における冷蔵庫の冷蔵室扉の開放状態を示す斜視図
【図５】同実施の形態の冷蔵室扉閉時の要部平面断面図
【図６】従来の冷蔵庫の概略斜視図
【図７】従来の冷蔵庫のリードスイッチ部の概略断面図
【符号の説明】
【００２３】
１４  冷蔵庫本体
１５  冷蔵室扉
１５ａ  冷蔵室右扉
１５ｂ  冷蔵室左扉
１６  製氷室扉
２０  リードスイッチ
２７  磁石
【図１】
2008101803.tif 000003
【図２】
2008101803.tif 000004
【図３】
2008101803.tif 000005
【図４】
2008101803.tif 000006
【図５】
2008101803.tif 000007
【図６】
2008101803.tif 000008
【図７】
2008101803.tif 000009